(57)【要約】【課題】得られるパルプの白色度が安定する脱墨パルプの漂白方法とする。【解決手段】脱墨パルプを酸化型漂白剤で酸化漂白後、更に還元型漂白剤で還元漂白する。その際には、少なくとも次記Ａ及びＢのいずれか一方の操作を行う。Ａ：酸化漂白前における脱墨パルプの白色度をオンラインで測定し、この測定値に基づいて酸化型漂白剤の添加量を制御する。Ｂ：酸化漂白後における脱墨パルプの白色度をオンラインで測定し、この測定値に基づいて還元型漂白剤の添加量を制御する。【選択図】図１
2004131883.tif 000002
【特許請求の範囲】
【請求項１】
脱墨パルプを酸化型漂白剤で酸化漂白後、更に還元型漂白剤で還元漂白する脱墨パルプの漂白方法であって、
少なくとも次記Ａ及びＢのいずれか一方の操作を含む、ことを特徴とする脱墨パルプの漂白方法。
Ａ：前記酸化漂白前における脱墨パルプの白色度をオンラインで測定し、この測定値に基づいて酸化型漂白剤の添加量を制御する。
Ｂ：前記酸化漂白後における脱墨パルプの白色度をオンラインで測定し、この測定値に基づいて還元型漂白剤の添加量を制御する。
【請求項２】
請求項１記載の方法による漂白工程を含む、ことを特徴とする古紙パルプの製造方法。
【請求項３】
脱墨パルプの原料が雑誌古紙を含む、請求項２記載の古紙パルプの製造方法。
【発明の詳細な説明】
【０００１】
【発明の属する技術分野】
本発明は、脱墨パルプの漂白方法及び古紙パルプの製造方法に関する。
【０００２】
【従来の技術】
再生紙の原料となる古紙パルプは、特に近年では、高白色度であることが望まれている。これは、製造された再生紙の用途が、カラー化・ビジュアル化しているためである。そこで、古紙をいかに効果的に脱墨して脱墨パルプを得るか、脱墨パルプをいかに効果的に漂白して古紙パルプを得るかが大きな課題となっている。
【０００３】
このうち脱墨パルプを漂白する方法としては、脱墨パルプを酸化型漂白剤で酸化漂白後、更に還元型漂白剤で還元漂白する方法がある（例えば、特許文献１及び特許文献２参照）。この方法は、酸化漂白一段による漂白方法が、▲１▼微細繊維を十分に漂白することができない、▲２▼酸化型漂白剤に対して安定性を有する紙の染料を漂白することができない、などの問題点を有するのを解決するものであり、大変有用な方法であるとされている。
【特許文献１】
特開平４−５０３９１号公報（第２頁）
【特許文献２】
特開平１１−３１５４８７号公報（請求項１）
【０００４】
【発明が解決しようとする課題】
しかしながら、従来の漂白方法によると、得られる古紙パルプの白色度が安定しない。したがって、目標とする白色度とするためには、過剰の漂白剤を添加しなければならず、コストの増加、排水のＣＯＤ負荷増加を招いている。特に、原料となる古紙が雑誌古紙を含むものであると、これらの問題は、顕著なものとなる。雑誌古紙は、塗工紙、非塗工紙、カラー印刷された紙、白黒印刷された紙など種々の耐漂白性を有する紙を含むためである。
【０００５】
そこで、本発明の主たる課題は、得られるパルプの白色度が安定する脱墨パルプの漂白方法及び古紙パルプの製造方法を提供することにある。
【０００６】
【課題を解決するための手段】
上記課題を解決した本発明は、次のとおりである。
＜請求項１記載の発明＞
脱墨パルプを酸化型漂白剤で酸化漂白後、更に還元型漂白剤で還元漂白する脱墨パルプの漂白方法であって、
少なくとも次記Ａ及びＢのいずれか一方の操作を含む、ことを特徴とする脱墨パルプの漂白方法。
Ａ：前記酸化漂白前における脱墨パルプの白色度をオンラインで測定し、この測定値に基づいて酸化型漂白剤の添加量を制御する。
Ｂ：前記酸化漂白後における脱墨パルプの白色度をオンラインで測定し、この測定値に基づいて還元型漂白剤の添加量を制御する。
【０００７】
＜請求項２記載の発明＞
請求項１記載の方法による漂白工程を含む、ことを特徴とする古紙パルプの製造方法。
【０００８】
＜請求項３記載の発明＞
脱墨パルプの原料が雑誌古紙を含む、請求項２記載の古紙パルプの製造方法。
【０００９】
（作用効果）
脱墨パルプの白色度をオンラインで測定し、この測定値に基づいて漂白剤の添加量を制御するので、得られる古紙パルプの白色度が安定する。特に、脱墨パルプの原料が雑誌古紙を含む場合は、（脱墨パルプの）耐漂白性のバラツキが大きなものとなるので、従来の方法に比して、白色度安定化効果が著しく向上する。
【００１０】
【発明の実施の形態】
以下、本発明の実施の形態を説明する。なお、本発明においては、古紙を離解し繊維懸濁液とした後、脱墨した段階におけるパルプを脱墨パルプといい、さらにかかる脱墨パルプを漂白処理した段階におけるパルプを古紙パルプという。
【００１１】
〈古紙〉
本発明において使用することができる古紙は、その種類が得に限定されない。例えば、新聞紙やチラシ等の古紙のほか、塗工紙、非塗工紙、カラー印刷された紙、白黒印刷された紙など種々の耐漂白性を有する紙を含む雑誌古紙などをも使用することができる。
【００１２】
〈脱墨パルプ〉
本発明においては、例えば、古紙を離解し繊維懸濁液とした後、脱墨処理して脱墨パルプを得る。脱墨パルプを得るまでの処理方法は、従来の方法と同様で足りる。つまり、離解方法、脱墨方法などは、特に限定されない。例えば、パルパーや、フローテータなどの公知の装置を用い、公知の方法によって、離解、脱墨処理することができる。また、途中、スクリーンや、クリーナなどの装置を用いて、粗選、精選処理をすることもできる。
【００１３】
〈酸化漂白〉
本実施の形態では、図１に示すように、以上のようにしてなる脱墨パルプを供給路１を介して、タワー２に供給する。かかる脱墨パルプに対しては、供給路１の途中において、酸化型漂白剤を添加する。この添加は、脱墨パルプの搬送中に行うことから、脱墨パルプと酸化型漂白剤とは、供給路１中において混合されて、タワー２内に供給される。タワー２内において、脱墨パルプは、酸化漂白される。
【００１４】
脱墨パルプに添加する酸化型漂白剤としては、例えば、過酸化水素や、オゾンなどを使用することができる。ただし、操業性、価格（コスト）の観点からは、過酸化水素を使用するのが好ましい。
【００１５】
酸化漂白するに際しては、パルプ濃度を２５〜３５質量％とするのが好ましい。パルプ濃度を２５質量％以上とするのは、漂白剤の濃度が高まることを理由とする漂白効率の向上、漂白時間の短縮、タワーの小型化を図るためである。パルプ濃度を２５質量％以上とすると、排水のＣＯＤ負荷は抑制される。
【００１６】
他方、パルプ濃度を３５質量％以下とするのは、これを超えると繊維と漂白剤との接触が不十分となり、かえって漂白性が低下し、あるいは漂白剤の過剰添加になるおそれがあるためである。なお、パルプ濃度が３０質量％を超えると、繊維と漂白剤との混合が困難になる。パルプ濃度の調節は、例えば、漂白工程の前段に脱水装置などを設け、脱水処理することにより行うことができる。
【００１７】
また、酸化漂白するに際しては、脱墨パルプを（タワー２内を）６０〜７０℃に加温するのが好ましい。漂白剤の反応効率が向上するためである。
【００１８】
さらに、本実施の形態においては、図１に示すように、供給路１の途中において、白色度計３により、脱墨パルプの白色度をオンラインで測定し、この測定値に基づいて酸化型漂白剤の添加量をバルブ４を調節して自動制御する。具体的には、あらかじめ酸化型漂白剤の添加量に対する白色度上昇幅を数値化し、この関係式に基づいて白色度が低い場合には、酸化型漂白剤の添加量を多くし、白色度が高い場合には、酸化型漂白剤の添加量を少なくする。本発明者らの実施したところによると、白色度（ハンター白色度計で測定、ＪＩＳ　Ｐ　８１２３）１ポイント上昇させるには、過酸化水素を３ｋｇ／パルプｔ増加させる必要があった。
【００１９】
〈還元漂白〉
以上のようにして酸化漂白した脱墨パルプは、図１に示すように、搬送路５を介して、第２のタワー６に搬送する。かかる脱墨パルプに対しては、搬送路５の途中において、還元型漂白剤を添加する。この添加は、脱墨パルプの搬送中に行うことから、脱墨パルプと還元型漂白剤とは、搬送路５中において混合されて、第２のタワー６内に供給される。第２のタワー６内において、脱墨パルプは、還元漂白される。
【００２０】
脱墨パルプに添加する還元型漂白剤としては、例えば、ホルムアミジンスルフィン酸（ＦＡＳ）、ハイドロサルファイト、などを使用することができる。ただし、脱色力（漂白力）の観点からは、ＦＡＳを使用するのが好ましい。
【００２１】
還元漂白するに際しては、パルプ濃度を１０〜２０質量％とするのが好ましく、１５質量％とするのが特に好ましい。パルプ濃度を１０質量％以上とするのは、漂白剤の濃度が高まることを理由とする漂白効率の向上、漂白時間の短縮、タワーの小型化を図るためである。
【００２２】
他方、パルプ濃度を２０質量％以下とするのは、これを超えると繊維と漂白剤との接触が不十分となったり、空気と接触することで漂白剤の分解が進行し、かえって漂白性が低下し、あるいは漂白剤の過剰添加になるおそれがあるためである。なお、パルプ濃度の調節は、例えば、還元漂白工程の前段に脱水装置などを設け、脱水処理することにより行うことができる。
【００２３】
また、還元漂白するに際しては、脱墨パルプを（タワー６内を）６０〜７０℃に加温するのが好ましい。漂白剤の反応効率が向上するためである。
【００２４】
さらに、本実施の形態においては、図１に示すように、搬送路５の途中において、白色度計７により、脱墨パルプの白色度をオンラインで測定し、この測定値に基づいて還元型漂白剤の添加量をバルブ８を調節して自動制御する。具体的には、あらかじめ還元型漂白剤の添加量に対する白色度上昇幅を数値化し、この関係式に基づいて白色度が低い場合には、還元型漂白剤の添加量を多くし、白色度が高い場合には、還元型漂白剤の添加量を少なくする。本発明者らの実施したところによると、白色度（ハンター白色度計で測定、ＪＩＳ　Ｐ　８１２３）１ポイント上昇させるには、ホルムアミジンスルフィン酸を１ｋｇ／パルプｔ増加させる必要があった。
【００２５】
〈その他〉
本発明は、少なくとも酸化型漂白剤添加のオンライン制御及び還元型漂白剤添加のオンライン制御のいずれか一方の操作を含むものであるが、両方の操作を含むのが好ましい。酸化型漂白剤添加のオンライン制御のみでは得られる白色度に限界があること、処理対象となる脱墨パルプの白色度のバラツキが制御範囲を超えた場合にも還元型漂白剤添加のオンライン制御により安定した古紙パルプが得られることによる。
【００２６】
【実施例】
以下、本発明の実施例を説明する。
〈サンプル〉
下記実施例１から８及び比較例１から５として示す条件に基づいて古紙パルプの製造を行った。
【００２７】
（実施例１）
チラシ古紙１００質量％からなる原料古紙を離解・脱墨後、酸化漂白、還元漂白して古紙パルプを得た。酸化漂白は、過酸化水素水により、パルプ濃度３０質量％、反応時間４時間、反応温度６５℃の条件下で行った。還元漂白は、ホルムアミジンスルフィン酸により、パルプ濃度１５質量％、反応時間２時間、反応温度７０℃の条件下で行った。オンライン制御を酸化型漂白剤（過酸化水素水）の添加についてのみ行った。
【００２８】
（実施例２）
オンライン制御を還元型漂白剤（ホルムアミジンスルフィン酸）の添加についてのみ行った。その他は、実施例１と同様とした。
【００２９】
（実施例３）
オンライン制御を酸化型漂白剤（過酸化水素水）の添加と還元型漂白剤（ホルムアミジンスルフィン酸）の添加との両方について行った。その他は、実施例１と同様とした。
【００３０】
（実施例４）
原料古紙を新聞古紙１００質量％とした。その他は、実施例１と同様とした。
【００３１】
（実施例５）
原料古紙をチラシ古紙５０質量％及び雑誌古紙５０質量％とした。その他は、実施例１と同様とした。
【００３２】
（実施例６）
オンライン制御を還元型漂白剤（ホルムアミジンスルフィン酸）の添加についてのみ行った。その他は、実施例５と同様とした。
【００３３】
（実施例７）
オンライン制御を酸化型漂白剤（過酸化水素水）の添加と還元型漂白剤（ホルムアミジンスルフィン酸）の添加との両方について行った。その他は、実施例５と同様とした。
【００３４】
（実施例８）
原料古紙を雑誌古紙１００質量％とした。その他は、実施例３と同様とした。
【００３５】
（比較例１）
原料古紙をチラシ古紙１００質量％とした。オンライン制御を行わなかった。その他は、実施例１と同様とした。
【００３６】
（比較例２）
原料古紙を新聞古紙１００質量％とした。オンライン制御を行わなかった。その他は、実施例１と同様とした。
【００３７】
（比較例３）
原料古紙をチラシ古紙７０質量％及び雑誌古紙３０質量％とした。オンライン制御を行わなかった。その他は、実施例１と同様とした。
【００３８】
（比較例４）
原料古紙をチラシ古紙５０質量％及び雑誌古紙５０質量％とした。オンライン制御を行わなかった。その他は、実施例１と同様とした。
【００３９】
（比較例５）
原料古紙を雑誌古紙１００質量％とした。オンライン制御を行わなかった。その他は、実施例１と同様とした。
【００４０】
〈評価・結果〉
以上のようにして得た古紙パルプの白色度（ハンター白色度計で測定、ＪＩＳＰ　８１２３）の変動幅及び薬品のトータルコストを調べた。前者については、変動幅が２ポイント未満の場合を○、２以上４ポイント未満の場合を△、４ポイント以上の場合を×とした。後者については、酸化漂白、還元漂白ともにオンライン制御を行わない場合と比較してかなりのコストメリットが図れた場合を○、酸化漂白、還元漂白ともにオンライン制御を行わない場合と比較して若干のコストメリットが図れた場合を△、酸化漂白、還元漂白ともにオンライン制御を行わない場合と同等を×とした。結果を表１に示した。
【００４１】
【表１】
2004131883.tif 000003
【００４２】
【発明の効果】
以上のとおり、本発明によれば、得られるパルプの白色度が安定する脱墨パルプの漂白方法及び古紙パルプの製造方法となる。
【図面の簡単な説明】
【図１】漂白工程の処理フロー図である。
【符号の説明】
１…供給路、２，６…タワー、３，７…白色度計、４，８…バルブ、７…搬送路。
【図１】
2004131883.tif 000004